(57)【要約】【課題】セルロイド板等の器具を使用してメダルセレクタのフォトセンサを誤感知させる不正行為を防止するという目的をメダル導入部の構造を工夫することで達成する。【解決手段】遊技メダルＭを径方向が上下を向く状態で落下投入するメダル投入口３ｃを備え、その前方に遊技メダルＭを滑らせながらメダル投入口３ｃに導くガイド台３ａが形成されているとともに、その後方に遊技メダルＭが後方に逸脱するのを規制するほぼ垂直な背面板３ｂが形成されたメダル導入部３に、筐体内部への遊技メダルＭの導入を阻害せず、かつ筐体内部への長尺な物品Ｓの挿入を阻害する遮蔽体１０を設ける。【選択図】図２
2006004171.tif 000002
【特許請求の範囲】
【請求項１】
遊技メダルを筐体内部へ導入するメダル導入部に、筐体内部への遊技メダルの導入を阻害せず、かつ筐体内部への長尺な物品の挿入を阻害する遮蔽体を設けたことを特徴とするスロットマシン。
【請求項２】
前記メダル導入部は、遊技メダルを径方向が上下を向く状態で落下投入するメダル投入口を備え、その前方に遊技メダルを滑らせながらメダル投入口に導くガイド台が形成されているとともに、その後方に遊技メダルが後方に逸脱するのを規制するほぼ垂直な背面板が形成されており、該背面板に前記遮蔽体が取り付けられている請求項１に記載のスロットマシン。
【発明の詳細な説明】
【技術分野】
【０００１】
この発明は、遊技メダルを筐体内部へ導入するメダル導入部の構造を改良することによりに不正行為の防止を図ったスロットマシンに関する。
【背景技術】
【０００２】
一般にスロットマシンは、メダル投入口から筐体内部へ導入されたメダルをメダルセレクタにより正規のものであるか否か選別し、それが正規のメダルである場合は受け入れて、ゲーム開始可能な状態にするか、或いはメダルクレジットを加算するようになっている。メダルセレクタは、例えば、メダル投入口に続くメダル通路に２個のフォトセンサが直列に設けられており、これら２個のフォトセンサがメダルを順に検出するとメダルが通過したと判定する。
【０００３】
上記のようなメダルセレクタを備えたスロットマシンにおいて、セルロイド板等の細長い器具をメダル投入口から挿入してメダルセレクタのフォトセンサを誤感知させ、メダルが通過したのと同じ状態を作り出すことにより、メダルを使用せずにゲームを行う不正行為が問題になっている。この種の不正行為に対し、従来は、専らメダルセレクタを改良することで対応していた。しかしながら、このメダルセレクタを改良する方法は、前記２個のフォトセンサとは別に新たなセンサ類を設けることになるため、メダルセレクタが複雑で高価になるという問題がある。したがって、メダルセレクタはそのままにして、メダル投入口の構造を改良することで、不正行為を防止することができれば好ましい。
【０００４】
メダル投入口を含むメダル導入部の構造に関する先行技術としては、例えば特許文献１、２に記載のものがあるが、これらの先行技術はいずれも、メダルを投入し易くすることを目的としたものであり、不正行為を防止する効果は有していない。
【特許文献１】特開２００３−１０３９０号公報
【特許文献２】特開２００４−４９５０２号公報
【発明の開示】
【発明が解決しようとする課題】
【０００５】
本発明は、セルロイド板等の器具を使用してメダルセレクタのフォトセンサを誤感知させる不正行為の防止を目的としてなされたものであり、この目的をメダル導入部の構造改良により達成することを課題としている。
【課題を解決するための手段】
【０００６】
上記課題を解決するために、本発明は次の構成とした。すなわち、本発明にかかるスロットマシンは、遊技メダルを筐体内部へ導入するメダル導入部に、筐体内部への遊技メダルの導入を阻害せず、かつ筐体内部への長尺な物品の挿入を阻害する遮蔽体を設けたことを特徴としている。
【０００７】
一般的なスロットマシンの場合、前記メダル導入部は、遊技メダルを径方向が上下を向く状態で落下投入するメダル投入口を備え、その前方に遊技メダルを滑らせながらメダル投入口に導くガイド台が形成されているとともに、その後方に遊技メダルが後方に逸脱するのを規制するほぼ垂直な背面板が形成されており、該背面板に前記遮蔽体が取り付けられている構造とするのが好ましい。
【０００８】
メダルセレクタのフォトセンサはメダル導入部から少し離れた位置にあるので、このフォトセンサを誤感知させるためには、セルロイド板等からなる細長い長尺な器具を使用する。したがって、メダル導入部に筐体内部への長尺な物品の挿入を阻害する遮蔽物を設けることにより、上記器具を筐体内部に挿入できなくなり、不正行為が成立しなくなる。
【発明の効果】
【０００９】
このように、本発明のスロットマシンは、メダル導入部の構造を改良することにより、セルロイド板等の器具を筐体内部に挿入してメダルセレクタのフォトセンサを誤感知させる行為を防止できるようになり、有効な不正行為対策を低コストで実現可能になった。
【発明を実施するための最良の形態】
【００１０】
図１に示すように、筐体１ａの前面部に遊技メダルを筐体内部へ導入するメダル導入部３が設けられたスロットマシン１に本発明を適用する。なお、このスロットマシン１は、外周面に複数の図柄が描かれた３個の回転ドラム２，２，２、遊技メダルを投入するメダル投入口３ｃ、各回転ドラムを一斉に回転させるスタートレバー４、各回転ドラムの回転を個別に停止させるストップボタン５，５，５、賞出されるメダルを受けるメダル受け皿６等を備えた周知の構成である。
【００１１】
メダル導入部３には、筐体内部へのメダルの投入を阻害せず、かつ筐体内部への長尺な物品の挿入を阻害する遮蔽体を設ける。遮蔽体の具体的な形態及び設置位置としては、例えば、以下に示す実施例１、２が好適である。
【実施例１】
【００１２】
図２（ａ），（ｂ）はメダル導入部を表す実施例１の正面図、及び側面図である。メダル導入部３は、正面視でメダルの形状に合わせて半円形をしたガイド台３ａと、その後方にあってほぼ垂直な背面板３ｂとの間にメダル投入口３ｃが形成されている。背面板３ｂの前面上部には、該背面板への取付部１０ａとメダル投入口３ｃの上方を覆う遮蔽部１０ｂとが一体形成された遮蔽体１０が取り付けられている。遮蔽部１０ｂの左右長は、少なくともメダル投入口３ｃの左右長よりも大きくしてある。また、ガイド台３ａと遮蔽部１０ｂとの間には、少なくともメダルＭの直径よりも広い間隔が開けられている。遮蔽体１０は、接着剤等により背面板３ｂに取り外せないように取り付けても、或いはねじ等により着脱可能に取り付けてもよい。
【００１３】
メダル投入口３ｃにメダルＭを投入するに際しては、メダルＭを径方向が上下を向くように縦向きに保持し、その下端をガイド台３ａに沿わせて滑らせながら後方に押し出す。背面板３ｂに当たってメダルＭの移動方向が変わり、メダルＭがメダル投入口３ｃから筐体内部へ落下する。ガイド台３ａと遮蔽部１０ｂとの間にはメダルＭの直径よりも広い間隔が開けられているため、メダル投入口３ｃからメダルＭを筐体内部へ導入することを遮蔽体１０が阻害しない。
【００１４】
また、メダル投入口３ｃの上方を遮蔽体の遮蔽部１０ｂが覆っているので、セルロイド板等の長尺な物品Ｓをメダル投入口３ｃから筐体内部へ挿入するのが非常に困難である。仮に、メダル投入口３ｃから挿入することができたとしても、遮蔽体１０が邪魔になって容易に抜き取ることができない。このため、セルロイド板等の器具を使用した不正行為を防止することができる。
【実施例２】
【００１５】
図３（ａ），（ｂ）はメダル導入部を表す実施例２の正面図、及び側面図である。実施例１と同様のガイド台３ａと背面板３ｂとの間に、メダル投入口３ｃが形成されている。遮蔽体１１は、取付部１１ａにより背面板３ｂの背面に取り付けられており、上部は前方に湾曲してメダル投入口３ｃの上方を覆う遮蔽部１１ｂになっている。実施例２におけるガイド台３ａと遮蔽部１１ｂとの間隔は、実施例１におけるガイド台３ａと遮蔽部１０ｂとの間隔よりも広くしてあるので、それに対応して、実施例２の遮蔽部１１ｂの左右長は、実施例１の遮蔽部１０ａの左右長よりも大きくしておくのが好ましい。遮蔽体１１も、接着剤等により背面板３ｂに取り外せないように取り付けても、或いはねじ等により着脱可能に取り付けてもよい。
【００１６】
メダルＭの投入方法は、実施例１と同じである。その際、メダル投入口３ｃからメダルＭを筐体内部へ導入することを遮蔽体１１が阻害しないのは勿論、ガイド台３ａと遮蔽部１１ｂとの間隔が広い分だけ、実施例１の場合よりも導入が容易である。
【００１７】
また、メダル投入口３ｃの上方を遮蔽体の遮蔽部１１ｂが覆っているので、セルロイド板等の長尺な物品Ｓのメダル投入口３ｃからの挿入、及びメダル投入口３ｃから挿入されている長尺な物品Ｓの抜き取りが困難である。ガイド台３ａと遮蔽部１１ｂとの間隔を広くした分だけ遮蔽部１１ｂの左右長を大きくすることにより、メダル投入口３ｃから長尺な物品Ｓを筐体内部へ挿入することを確実に阻害することができる。このため、セルロイド板等の器具を使用した不正行為を防止することができる。
【産業上の利用可能性】
【００１８】
この発明は、スロットマシン以外に、メダル、硬貨、その類似物を使用する他の遊技機や自動販売機のメダル類の投入口にも適用できる。
【図面の簡単な説明】
【００１９】
【図１】スロットマシンの外観斜視図である。
【図２】メダル導入部の（ａ）正面図、及び（ｂ）側面図である。（実施例１）
【図３】メダル導入部の（ａ）正面図、及び（ｂ）側面図である。（実施例２）
【符号の説明】
【００２０】
Ｍ  遊技メダル
Ｓ  セルロイド板
１  スロットマシン
１ａ  筐体
３ｃ  メダル投入口
１０，１１  遮蔽体
【図１】
2006004171.tif 000003
【図２】
2006004171.tif 000004
【図３】
2006004171.tif 000005